(57)【特許請求の範囲】
【請求項１】
天板付家具の天板上に配されるパネル体にこれを支持するための支持部材を取り付けてなるパネルであって、
前記パネル体の下辺に形成され上方に凹んだ切欠と、
前記支持部材に設けられその周面が前記切欠に対し下方から嵌り込む嵌合体と、
前記支持部材の嵌合体に隣接して設けられ前記パネル体における前記切欠の周縁部の少なくとも一部を表裏から挟み持つ一対の挟持体とを具備し、
前記切欠の両側縁の開口幅が上方に向かうにつれて徐々に幅狭となり、かつ前記一対の挟持体の離間幅が前記嵌合体の周面に近づくにつれて徐々に幅狭となっているパネル。
【請求項２】
前記切欠の側縁と前記嵌合体の周面とのうち一方に凸部が存在し、他方に前記凸部と係合する凹部が存在している請求項１記載のパネル。
【請求項３】
前記天板に載置される前記支持部材の下面が前記パネル体の下辺よりも若干下方に突出している請求項１または２記載のパネル。
【請求項４】
前記パネル体は、前記天板付家具の使用端側に位置づけられる側端部の上辺の高さが最低であり、そこから反対側の側端部に向かうにつれて上辺の高さが上昇する形状をなしている請求項１、２または３記載のパネル。
【請求項５】
前記パネル体における、前記天板付家具の使用端側に位置づけられる側とは反対側の側端部の下辺に、前記切欠とは別に、前記天板から離反するように上方に凹んだ開口が形成されている請求項１、２、３または４記載のパネル。
【請求項６】
前記切欠は、前記パネル体の幅寸法の中心から前記天板付家具の使用端側に位置づけられる側とは反対側に偏倚した箇所に一つ形成されており、一枚のパネル体に対して一個の前記支持部材を取り付ける請求項１、２、３、４または５記載のパネル。
【請求項７】
前記パネル体が透光性を有している請求項１、２、３、４、５または６記載のパネル。
【発明の詳細な説明】
【技術分野】
【０００１】
本発明は、天板付家具の天板上に配されるパネルに関する。
【背景技術】
【０００２】
複数人が同時に使用し得る大形のテーブル等の天板上には、使用者の眼前に起立するデスクトップパネルとともに、隣り合う使用者の間を遮蔽するサイドパネルを設置することが少なくない。
【０００３】
下記特許文献に開示されているテーブルでは、サイドパネルの一方の側端部に装着された受圧具を、ねじを以て天板の側端部の上面に緊締し圧接する。並びに、サイドパネルの他方の側端に装着された受圧具を、やはりねじを以てデスクトップパネルの表面または裏面に緊締し圧接する。このようにして、サイドパネルを設立、固定している。
【０００４】
だが、上述の如き支持構造を採用する場合、サイドパネルを設置しまたは移動させる都度ドライバ等の工具を使用してねじを螺合操作する必要が生じ、ともすれば煩瑣である。
【先行技術文献】
【特許文献】
【０００５】
【特許文献１】特開２００８−１１９４１２号公報
【発明の概要】
【発明が解決しようとする課題】
【０００６】
本発明は、テーブル等の天板上に簡便に設置することのできるパネルを提供しようとするものである。
【課題を解決するための手段】
【０００７】
本発明では、天板付家具の天板上に配されるパネル体に、これを支持するための支持部材を取り付けてなるパネルを構成した。本パネルの構造は、前記パネル体の下辺に形成され上方に凹んだ切欠と、前記支持部材に設けられその周面が前記切欠に対し下方から嵌り込む嵌合体と、前記支持部材の嵌合体に隣接して設けられ前記パネル体における前記切欠の周縁部の少なくとも一部を表裏から挟み持つ一対の挟持体とを具備し、前記切欠の両側縁の開口幅が上方に向かうにつれて徐々に幅狭となり、かつ前記一対の挟持体の離間幅が前記嵌合体の周面に近づくにつれて徐々に幅狭となる。
【０００８】
本パネルでは、支持部材の嵌合体がパネル体のテーパ状の切欠に嵌合し、同時に一対の挟持体がテーパ状の対向面を介してパネル体の切欠の周縁部を挟持する。これにより、支持部材に対するパネル体のがたつきが抑制される。従って、本パネルを天板に載置した際に、パネル体が天板付家具に対してぐらつかず安定するので、パネル体の固定を図るためのねじ止めが不要となる。
【０００９】
前記切欠の側縁と前記嵌合体の周面とのうち一方に凸部が存在し、他方に前記凸部と係合する凹部が存在していれば、両者の凹凸係合を通じてパネル体の支持部材からの不意の脱離を予防できる。
【００１０】
前記天板に載置される前記支持部材の下面が前記パネル体の下辺よりも若干下方に突出していれば、パネル体の自重を利用して切欠と嵌合体との嵌り合いを一層強固とすることができる。
【００１１】
前記パネル体が、前記天板付家具の使用端側に位置づけられる側端部の上辺の高さが最低で、そこから反対側の側端部に向かうにつれて上辺の高さが上昇する形状をなしているならば、使用者の傍らに配置するサイドパネルとして好適なものとなる。天板付家具の使用端側に着席した使用者は、作業に注力している間は前傾姿勢をとることが多く、一方でリラックスしている間は背筋を反らしたり天板から離れたりすることが多い。故に、作業に注力している間はパネル体の比較的上下に高い部位を利用して周囲の視線を遮ることができ、リラックスしている間はパネル体の比較的低い部位を利用して周囲の者とコミュニケーションをとることができる。
【００１２】
前記パネル体における、前記天板付家具の使用端側に位置づけられる側とは反対側の側端部の下辺に、前記切欠とは別に、前記天板から離反するように上方に凹んだ開口が形成されていれば、この開口を介して給電コードや通信ケーブル等のコード類の配線作業を行うことが可能になる。
【００１３】
前記切欠が、前記パネル体の幅寸法の中心から前記天板付家具の使用端側に位置づけられる側とは反対側に偏倚した箇所に一つ形成されており、一枚のパネル体に対して一個の前記支持部材を取り付けるものとすれば、支持部材が天板上の作業用のスペースを徒に狭めることが抑制され、使用者にとって支持部材が邪魔になりにくい。
【００１４】
前記パネル体が透光性を有していれば、使用者に過度の圧迫感を与えずに済む。
【発明の効果】
【００１５】
本発明によれば、テーブル等の天板上に簡便に設置することのできるパネルを提供し得る。
【図面の簡単な説明】
【００１６】
【図１】本発明の一実施形態の天板付家具及びパネルを示す斜視図。
【図２】天板付家具を示す側面図。
【図３】天板付家具の天板の配線口、蓋体及び蓋体受け等を示す要部正断面図。
【図４】パネルの分解斜視図。
【図５】支持部材を示す側面図。
【図６】支持部材を示す平面図。
【図７】パネル体の切欠と支持部材の嵌合体との嵌合構造を示す要部正断面図。
【図８】同実施形態のパネルを方形状の天板を備える天板付家具に載置した例を示す斜視図。
【発明を実施するための形態】
【００１７】
本発明の一実施形態を、図面を参照して説明する。本実施形態のパネルＰは、図１に示すように、平面視円形状をなす天板４を備えた天板付家具Ｔとともに用いられる。
【００１８】
はじめに、天板付家具Ｔについて述べる。天板付家具Ｔは、図２に示すように、天板４を単一の脚構造体に支持させてなる、いわゆる単柱テーブルである。脚構造体は、直立する脚支柱１と、脚支柱１の下端部に結合する脚ベース２と、脚支柱１の上端部に結合する天板受け３とを構成要素とする。
【００１９】
支柱１は、略等断面形状をなして鉛直に伸長した、例えばアルミ押出成形品である。支柱１は、図３に示すように、その内部に、上下方向に延伸する配線通路１１を有する。支柱１の外壁は概ね円筒状であるが、配線通路１１に臨む一部を上下に亘り切り欠いて開口１２を形成しており、その開口１２を介して配線通路１１を外側方に開放せしめている。開口１２には、着脱自在のキャップ１３を装着してこれを遮蔽することができる。キャップ１３は、略等断面形状をなして鉛直に伸び、その全長が支柱１に略等しい。
【００２０】
ベース２は、放射方向に延伸する複数の脚羽根（図示せず）と、脚羽根間に形成される平面視略部分円状の間隙を隠蔽するカバー部材２１とを具備する。支柱１内の配線通路１１は、特定の二本の脚羽根間の間隙に直に連通している。カバー部材２１は、全体として支柱１の外周を略全周に亘り包囲し、支柱１の周りの床を遮蔽するもので、脚羽根に対して着脱自在である。カバー部材２１は、脚羽根間の間隙の数と同数に分かたれている。脚羽根の外方端部の下面にはアジャスタ２２を装着しており、ベース２はこのアジャスタ２２を介して床面に接地する。
【００２１】
天板受け３は、放射方向に延伸する複数のアーム３１と、アーム３１間に形成される平面視略部分円状の間隙を埋めるトレイ３２とを具備する。支柱１内の配線通路１１は、特定の二本のアーム３１間の間隙に直に連通している。トレイ３２は、天板４の下方にあって、天板４との間に、給電コンセント、通信ネットワーク用ハブ等の配線具やその他各種装置を配置するスペースを提供する。トレイ３２は、全体として丸盆状をなすもので、アーム３１に対して着脱自在である。このトレイ３２は、アーム３１間の間隙の数と同数に分かたれている。アーム３１の外方端部には、上方に伸び出して天板４を下方から支持する天板支持部３３を設けている。天板支持部３３の側面には、オプション棚７を取り付けるための取付孔（図示せず）を穿ってある。
【００２２】
天板４は、天板支持部３３に載置して固定する。天板４の中央には、図３に示すように、上下に貫通した平面視略円形状の配線口４１を形成している。配線口４１の内周には、内方に膨出した曲面状の内面を有した周縁部材４２を取り付ける。周縁部材４２は、弾性変形可能であってもよく、弾性変形不能であってもよい。配線口４１内には、着脱自在の蓋体５を装着することができる。蓋体５は、配線口４１の（周縁部材４２の）内周との間に平面視一周連続した環状の配線挿通溝４３を形成しながら、配線口４１の配線挿通溝４３以外の部分を閉塞するもので、少なくともその外周縁部が弾性変形可能となっている。蓋体５の下面には、係合爪５１を平面視環状に突出させて設けている。係合爪５１は、脚構造体の上端部に固定した蓋体受け６に係合する。
【００２３】
しかして、オプション棚７は、トレイ３２と同様、天板４の下方にあって、天板４との間に配線具等の配置スペースを形成する。棚７は、棚板７１と、各棚板７１を受ける棚受ブラケット７２とを具備する。棚板７１は、全体としてドーナツ板状をなすもので、棚受ブラケット７２に対して着脱自在である。棚板７１もまた、アーム３１間の間隙の数と同数に分かたれている。棚受ブラケット７２には、天板支持部３３の取付孔に掛け止めることのできる取付爪（図示せず）を設けてある。隣り合う二本のアーム３１の天板支持部３３に棚受ブラケット７２をそれぞれ取り付け、それら棚受ブラケット７２に棚板７１の周方向両側部を載せ置くことにより、棚板７１をトレイ３２の外周側に装着することができる。
【００２４】
次に、パネルＰについて述べる。本実施形態のパネルＰは、図５に示すように、パネル体８にこれを支持するための支持部材９を取り付けてなり、天板付家具Ｔの天板４に載置されてサイドパネル及び／またはデスクトップパネルとして機能するものである。
【００２５】
パネル体８は、透光性を有する、換言すれば透明または半透明の板体であって、例えばアクリル板である。パネル体８の上辺は、一方の側端部においてその高さが最低であり、そこから他方の側端部に向かうにつれて上昇するような曲線を描いており、他方の側板部においてその高さが最高となる。これに対し、パネルＰの下辺は、概ね水平直線状である。
【００２６】
パネル体８の下辺における、（当該下辺が延伸する）幅方向の中心から他方の側端部側に偏倚した箇所には、切欠８１を形成している。切欠８１は、図８に示すように、上方に凹み、その両側縁８１１の開口幅が上方に向かうにつれて徐々に幅狭となるテーパ状をなしている。切欠８１の各側縁８１１には、互いに離反する方向に凹む凹部８１２を設けてある。さらに、切欠８１よりも他方の側端部側に偏倚した箇所には、切欠８１よりも大きく拡張した開口８２を形成している。開口８２の縁はパネル体８の法線方向から見て略部分楕円弧状をなし、その最上縁は切欠８１の上縁８１３よりも高位置にある。
【００２７】
支持部材９は、図６ないし図８に示すように、切欠８１の側縁８１１及び上縁８１３に略対応した形状の周面９１１を有する嵌合体９１と、嵌合体９１に隣接し嵌合体９１の周面９１１を挟んで対向する一対の挟持体９２と、両挟持体９２の対向方向に沿って伸長した一対の支持脚９３とを一体的に成形した、例えば硬質樹脂製の部材である。嵌合体９１の周面９１１の両側には、互いに離反する方向に突出する凸部９１２を設けてある。両凸部９１２は、切欠８１の各側縁８１１の凹部８１２にそれぞれ係合するもので、弾性変形により互いに接近する方向に没入することが可能である。
【００２８】
挟持体９２は、嵌合体９１の周面９１１の向く方向に沿って鍔状（または、馬蹄状）に張り出している。対をなす挟持体９２の離間幅は、嵌合体９１の周面９１１に近づくにつれて徐々に幅狭となっている。つまりは、両挟持体９２の対向面９２１がテーパ状をなしている。
【００２９】
支持脚９３は、天板付家具Ｔの天板４に接して嵌合体９１、挟持体９２並びにパネル体８を支え、パネルＰに自立性を与える部位である。支持脚９３の下面には、例えばゴム等の滑り止め（図示せず）を装着しておくことが好ましい。
【００３０】
支持部材９をパネル体８に取り付けるにあたっては、嵌合体９１をパネル体８の切欠８１に下方から嵌め込み、凸部９１２を凹部８１２に係合せしめ、なおかつ対をなす挟持体９２でパネル体８の切欠８１の周縁部を表裏から挟持させる。支持部材９をパネル体８に対してねじ止めする必要はない。支持部材９をパネル体８に取り付けた状態で、支持部材９の（支持脚９３の）下面は、パネル体８の下辺よりも若干ながら下方に飛び出している。
【００３１】
本実施形態のパネルＰは、図１に例示しているように、パネル体８の一方の側端部を天板付家具Ｔの使用端側即ち天板４の外周側に位置づけ、他方の側端部を反対側即ち天板４の中央側に位置づけるようにして用いる。このとき、パネル体８の下辺に形成した開口８２が天板４に形成した配線口４１の直上に臨む様相となるので、配線口４１を経由して配線するコード類とパネル体８との干渉を回避できる上、パネルＰを特段移動させずとも蓋体５を着脱できる等、配線作業時の利便性が大きく向上する。
【００３２】
本実施形態では、天板付家具Ｔの天板４上に配されるパネル体８に、これを支持するための支持部材９を取り付けてなるものであって、前記パネル体８の下辺に形成され上方に凹んだ切欠８１と、前記支持部材９に設けられその周面９１１が前記切欠８１に対し下方から嵌り込む嵌合体９１と、前記支持部材９の嵌合体９１に隣接して設けられ前記パネル体８における前記切欠８１の周縁部の略全域を表裏から挟み持つ一対の挟持体９２とを具備し、前記切欠８１の両側縁８１１の開口幅が上方に向かうにつれて徐々に幅狭となり、かつ前記一対の挟持体９２の離間幅が前記嵌合体９１の周面９１１に近づくにつれて徐々に幅狭となる構造のパネルＰを構成したため、テーパ状の切欠８１と嵌合体９１との嵌合によりパネル体８の支持部材９に対する幅方向のがたつきが抑制され、切欠８１の周縁部と挟持体９２のテーパ状の対向面９２１との係合によりパネル体８の支持部材９に対する法線方向（パネルＰ面が向く方向）のがたつきも抑制される。従って、本パネルＰを天板４に載置した際に、パネル体８が天板付家具Ｔに対してぐらつかず安定し、パネル体８の固定を図るためのねじ止めも不要となる。
【００３３】
前記切欠８１の側縁８１１と前記嵌合体９１の周面９１１とのうち一方に凸部９１２が存在し、他方に前記凸部９１２と係合する凹部８１２が存在しているため、両者の凹凸係合を通じてパネル体８の支持部材９からの不意の脱離を予防できる。
【００３４】
前記天板４に載置される前記支持部材９の下面が前記パネル体８の下辺よりも若干下方に突出しているため、パネル体８の自重を利用して嵌合体９１の切欠８１への嵌合、並びに挟持体９２によるパネル体８の挟持を一層強固とすることができる。
【００３５】
前記パネル体８が、前記天板付家具Ｔの使用端側に位置づけられる側端部の上辺の高さが最低で、そこから反対側の側端部に向かうにつれて上辺の高さが上昇する形状をなしているため、使用者が作業に注力している間はパネル体８の比較的上下に高い部位を利用して周囲の視線を遮って作業に集中することができ、逆にリラックスしている間はパネル体８の比較的低い部位を利用して周囲の者とコミュニケーションをとることができる。ひいては、使用者の傍らに配置するサイドパネルＰとして好適なものとなる。
【００３６】
前記パネル体８における、前記天板付家具Ｔの使用端側に位置づけられる側とは反対側の側端部の下辺に、前記切欠８１とは別に、前記天板４から離反するように上方に凹んだ開口８２が形成されているため、この開口８２を介してコード類の配線作業を行うことが可能になる。
【００３７】
前記切欠８１が、前記パネル体８の幅寸法の中心から前記天板付家具Ｔの使用端側に位置づけられる側とは反対側に偏倚した箇所に一つ形成されており、一枚のパネル体８に対して一個の前記支持部材９を取り付けているため、支持部材９が天板４上の作業用のスペースを徒に狭めることが抑制され、使用者にとって支持部材９が邪魔になりにくい。
【００３８】
前記パネル体８が透光性を有しているため、使用者に過度の圧迫感を与えずに済む。
【００３９】
なお、以上に詳述した実施形態に限られるものではない。図８に例示するように、上記実施形態のパネルＰを、平面視方形状をなす天板を備えた天板付家具Ｄとともに用いることは当然に可能である。
【００４０】
また、上記実施形態では、支持部材９の一対の挟持体９２がパネル体８における切欠８１の周縁部の略全域を挟持していたが、切欠８１の周縁部の一部のみを挟持する態様とすることもできる。
【００４１】
パネル体８の切欠８１の側縁８１１に凸部を設け、支持部材９の嵌合体９１の周面９１１にその凸部と係合する凹部を設けるようにしても構わない。
【００４２】
その他各部の具体的構成は、本発明の趣旨を逸脱しない範囲で種々変形が可能である。
【産業上の利用可能性】
【００４３】
本発明は、テーブル等の天板上に設置するサイドパネルまたはデスクトップパネルとして好適に用いることができる。
【符号の説明】
【００４４】
Ｔ、Ｄ…天板付家具
４…天板
Ｐ…パネル
８…パネル体
８１…切欠
８１１…側縁
８１２…凹部
９…支持部材
９１…嵌合体
９１１…周面
９１２…凸部
９２…挟持体
【図１】
0005407064.tif 000002
【図２】
0005407064.tif 000003
【図３】
0005407064.tif 000004
【図４】
0005407064.tif 000005
【図５】
0005407064.tif 000006
【図６】
0005407064.tif 000007
【図７】
0005407064.tif 000008
【図８】
0005407064.tif 000009